(57)【特許請求の範囲】
【請求項１】
円筒体の上端を閉塞したケーシングと、
スクリュー羽根を有し、前記ケーシング内に回転自在に収容して設けたスクリュー移送体と、
前記スクリュー移送体を回転駆動するモータと、
前記ケーシングの円筒体の下端を開口して形成した吸込口と、
前記ケーシングの円筒体の上端側の側壁に形成した排出口とを備えた、
漁網のクラゲ排除装置。
【請求項２】
前記スクリュー移送体の下端部に取付けたクラッシャーをさらに備えている、請求項１記載の漁網のクラゲ排除装置。
【請求項３】
前記クラッシャーは前記スクリュー移送体の下端部に固定して設けられている、請求項２記載の漁網のクラゲ排除装置。
【請求項４】
前記クラッシャーは前記スクリュー移送体の下端部に螺合して設けられ、前記スクリュー移送体を正逆回転することにより、前記クラッシャーが規制された範囲内で前記スクリュー移送体の軸線方向に往復移動するように構成されている、請求項２記載の漁網のクラゲ排除装置。
【請求項５】
前記ケーシングの円筒体の下端に設けた吸込誘導用のガイド体をさらに備えている、請求項１，２，３又は４記載の漁網のクラゲ排除装置。
【請求項６】
前記ケーシングの上端側に取付けた操作用ハンドルをさらに備えている、請求項１，２，３，４又は５記載の漁網のクラゲ排除装置。
【請求項７】
前記ケーシングの円筒体はプラスチックで構成されている、請求項１，２，３，４，５又は６記載の漁網のクラゲ排除装置。
【発明の詳細な説明】
【０００１】
【発明が属する技術分野】
本発明は定置網，刺網，底曳網，旋網等の各種漁業において、捕獲した魚を漁網から漁船に水揚げする際に、漁網に魚と一緒に混入しているクラゲを排除する漁網のクラゲ排除装置に関する。
【０００２】
【従来の技術】
定置網その他の各種漁業においては漁網内に魚と一緒にクラゲも捕獲される。特にクラゲの大量発生時にあっては多くのクラゲが漁網内に入ることになる。捕獲した魚を漁船に揚げる際には、漁網を袋状に絞り込んで魚を追い込み、玉網等を使用して船に引き揚げるものであるが、上記したように、網内には魚と一緒にクラゲも入っている。そのため、クラゲを取り除く必要がある。
【０００３】
従来は、前記のように袋状に追い込んだ状態で玉網等でクラゲを抄い揚げた後、魚を船に水揚げするか、或いはクラゲが混入したまま船に引き揚げた後、クラゲを取り除く等により行なっているが、この作業に時間と労力を要している。
【０００４】
ところで、上述したように、漁網を袋状に絞り込んで魚を追い込むと、魚とクラゲは、上下に分かれた状態、即ち、クラゲは海面近くに浮き上がり、魚はその下方側に遊泳している状態となる。そこで、クラゲを効率良く取除く手段として、吸引ポンプを備えたフィッシュポンプを利用し、このポンプで吸引して排除する方法が試みられている。
【０００５】
前記ポンプ吸引方法によればクラゲを効率よく排除することが一応可能になる。しかしながら、この方法によると次のような問題が発生する。即ち、フィッシュポンプは本来的には魚に傷をつけないで新鮮な活魚の状態を維持したままで吸引移送する目的で開発されたものであるから、このポンプを使用することにより、クラゲを吸引して排除できるが、クラゲは生きたまま海中に戻されることになる。したがって、海に戻されたクラゲが再び漁網に掛かる問題があると共に、クラゲが生きたまま海に戻されて大量遊泳していると魚の回遊を妨げて捕獲量を減少させる原因となる。
【０００６】
【発明が解決しようとする課題】
本発明は上記のような実情に鑑み、漁網内のクラゲを死滅させて効率良く排除することができる、漁網のクラゲ排除装置を提供することを目的とするものである。
【０００７】
【課題を解決するための手段】
前記目的を達成するため、本発明は円筒体の上端を閉塞したケーシングと、スクリュー羽根を有し、前記ケーシング内に回転自在に収容して設けたスクリュー移送体と、前記スクリュー移送体を回転駆動するモータと、前記ケーシングの円筒体の下端を開口して形成した吸込口と、前記ケーシングの円筒体の上端側の側壁に形成した排出口とを備えたことを特徴とする。
【０００８】
本発明によれば、スクリュー移送体を回転するとクラゲは吸込口から吸い込まれると共に移送されて排出口から排出されるが、ケーシング内を通過中に、クラゲはスクリュー羽根により破砕されながら移送されて排出される。したがって、クラゲを死滅させて効率よく排除することができる。
【０００９】
本発明においては、請求項２記載の発明のように、スクリュー移送体の下端部にクラッシャーを取付ける構成を採用することもできる。このように構成すると、クラゲの破砕作業を一層向上させることができる。
【００１０】
本発明において、前記クラッシャーは請求項３記載の発明のようにスクリュー移送体の下端部に固定して設けることができる。また、請求項４記載の発明のように、クラッシャーをスクリュー移送体の下端部に螺合して設け、スクリュー移送体を正逆回転することにより、クラッシャーがスクリュー移送体の軸線方向に規制された範囲内で往復移動するように構成することもできる。
【００１１】
ここで、前記クラッシャーをスクリュー移送体の下端部に螺合させる構成としては特に限定されるものではなく、前記一方又は他方を正逆回転することによって、クラッシャーがスクリュー移送体の軸線方向に往復移動するように構成したものを全て含むものである。
【００１２】
請求項４記載の発明によれば、クラッシャーを水中（海中）に位置させてスクリュー移送体を正転方向に回転すると、クラッシャーには負荷（水圧による負荷）が掛かっているのでスクリュー移送体の軸線上を上方側へ移動し、上死点（上限）に達した時点でスクリュー移送体と一体回転し、破砕作業を行なう。また、スクリュー移送体を逆転方向へ回転すると、クラッシャーはスクリュー移送体の軸線上を下方側へ下死点（下限）まで移動する。したがって、この構成を採用すると、クラゲの吸込作業中に、何んらかの原因によってクラゲがクラッシャーの部分や吸込口付近に引っ掛かる等、吸込作業に支障をきたした際等に、スクリュー移送体を逆回転させることにより、クラッシャーでクラゲを外側へ追い出して取り除くことができる。そして、スクリュー移送体を正回転させることにより、再び破砕作業を行なえるようになる。
【００１３】
本発明においては、請求項５記載の発明のように、ケーシングの円筒体の下端に吸込誘導用のガイド体を設けることもできる。このように構成すると、クラゲをケーシングの下端側へ円滑に誘導して吸い込ませることができる。
【００１４】
本発明においては、請求項６記載の発明のように、ケーシングの上端側に操作用ハンドルを取付けることもできる。このように構成すると、作業者がハンドルを手で操作して吸込口側を任意の方向へ自由に移動することができる。また、本発明においては、請求項７記載の発明のように、ケーシングの円筒体をプラスチックで構成することもできる。このように構成すると装置が軽量化できるので、ハンドル操作等の作業が容易になる。
【００１５】
【発明の実施の形態】
以下、図面を参照して本発明の実施の形態の１例を説明する。図１は本発明の漁網のクラゲ排除装置の１実施の形態を示す縦断面図、図２は図１のＡ−Ａ拡大線断面図、図３は同上装置の拡大底面図、図４は同上装置の作用を説明するために示す説明図、図５は同上装置の使用状態を示す説明図である。
【００１６】
上記図１〜図５において、この実施の形態の漁網のクラゲ排除装置は、ケーシング１と、このケーシング１内に設けたスクリュー移送体２と、この移送体２を回転駆動するモータ３とを備えている。
【００１７】
前記ケーシング１は適当な径及び長さの円筒体１１の上端を蓋板１２で閉塞してなっている。円筒体１１は例えば直径約１２０〜約１５０ｍｍ、長さ約７００〜約９００ｍｍ程度に形成することができる。また、円筒体１１の素材は特に限定するものではないが、例えば金属やプラスチック等を挙げることができる。なお、円筒体１１をプラスチック製にした場合には軽量化することができる。
【００１８】
前記円筒体１１の下端は開口されて吸込口１３が形成されていると共に円筒体１１の上端近くの側壁には適当な大きさの排出口１４が形成されている。
【００１９】
前記スクリュー移送体２は回転軸２１と、この軸２１の外周に捻転して装設したスクリュー羽根２２とを有し、前記ケーシング１内に回転自在に収容して設けてある。この実施の形態ではケーシングの上端及び下端に軸受２３及び２４を設け、両軸受２３，２４で回転軸１２の両端を回転自在に支持させてある。前記軸受２３，２４は任意の構造のものを採用できるもので、この実施の形態の両軸受２３，２４は筒状型に形成され、一方の軸受２３は前記蓋板１２に固設されていると共に他方の軸受２４は取付杆２５及び杆２５の先端に固着したリング板２６を介して円筒体１１の下端に固定して設けてある。また、回転軸２１の上端側には前記スクリュー羽根２２と捻転方向を逆にしたスクリュー羽根２２Ａが設けてあり、これにより吸込口１３から導入されて移送される移送体を排出口１４から外部へ効率よく排出させるように構成してある。
【００２０】
前記モータ３は一般的には油圧モータを採用するが電動モータ等を採用してもよい。前記スクリュー移送体２はモータ３で回転駆動される。この実施の形態では前記蓋板１２の上端にヘッドハウジング２７を設け、このハウジング２７の下端周縁に沿わせて突設した環状フランジ２８と円筒体１１の上端周縁に沿わせて突設した環状フランジ１５との間に蓋板１２の周縁部を介在させ、前記三者２８，１５及び１２をボルトナット等（図示せず）で固定し、また、ハウジング２７の上部にモータ３を設置し、このモータ３の出力軸３１と回転軸２１の上端間にカップリング３２を介装して両軸３１，２１をハウジング２７内で連結してある。前記スクリュー移送体２はモータ３で高速回転（例えば毎分約１０００〜約１５００回転、但し、この数値は例示したまでのことで、この範囲に限定されるものではない。）させるように構成してある。
【００２１】
この実施の形態の装置はスクリュー移送体２の下端部にクラッシャー４を設けてある。図示のクラッシャー４は複数本（図示では３本）の杆体４１を回転軸２１の下端に固定して設けた取付体４２に、放射状、かつ斜め下方向に傾斜させて円周方向にほゞ等間隔で配設して構成されている。このクラッシャー４は回転軸２１と一体回転させ、クラゲＫを破砕するために設けたものである。なお、クラッシャー４は図示以外の任意の構成に変更可能なもので、要は回転することによってクラゲＫを破砕する機能を具備させるように構成してあれば良いものである。
【００２２】
この実施の形態の装置はケーシング１の円筒体１１の下端に設けた吸込誘導用のガイド体５をさらに備えている。このガイド体５はクラゲＫを円筒体１１の下端側へ案内誘導させるためのもので、図示のガイド体５は上下端を開口すると共に下方側へ拡径した半円球状に形成したものが開示されている。そして、ガイド体５の開口上端の周縁に沿わせて突設した環状フランジ５１と円筒体１１の下端周縁に沿わせて突設した環状フランジ１６との間に前記軸受２４の取付用のリング板２６を介在させ、前記三者５１，２６及び１６をボルトナット等（図示せず）で固定して設けてある。これにより、クラゲＫはガイド体５で案内され、ケーシング１の下端側へ誘導されるようになっている。
【００２３】
この実施の形態の装置はケーシング１の上端側に取付けた操作用ハンドル６をさらに備えている。このハンドル６は作業者が手で握り、吸込口１３の方向を変え、或いは吸込口を任意の方向へ移動するためのものである。図示のハンドル６は杆体６１で構成され、上端左右にグリップ杆６２，６２を備え、下端をハウジング２７に固定して設けてある。前記ハンドル６は図示以外の任意の構成に変更可能なものである。図中、Ｈは排出口１４に接続したホース、Ｎは漁網、Ｆは魚、Ｓは海面を示す。
【００２４】
この実施の形態の漁網のクラゲ排除装置は前記のように構成したもので、次に使用方法及び作用等につき説明する。図５に示すように、従来と同様に漁網Ｎを袋状に絞り込んで魚Ｆを追い込む。これにより、漁網Ｎ内に入っているクラゲＫは海面Ｓ近くに浮き上がり、魚Ｆはその下方側に遊泳している状態となる。そこで、モータ３を稼動し、ハンドル６を操作してガイド体５を海面Ｓ近くの海中に位置させると、スクリュー羽根２２の回転によりケーシング内は減圧されているので、海面近くに遊泳しているクラＫはガイド体５で案内され、吸込口１３側へ誘導される。この場合、ガイド体５を設けていなくてもケーシング１１内の減圧吸引力で吸込口１３側へ吸引されることになるが、ガイド体５を設けると、クラゲの誘導が一層良好になる。
【００２５】
そして、図４に示すように、前記のように吸込口１３側へ誘導されたクラゲはクラッシャー４によって破砕され、この破砕されたクラゲ片Ｋ１はスクリュー移送体２でケーシング１内を移送されるが、このケーシング１内を通過する間にクラゲ片Ｋ１はスクリュー羽根２２によりさらに細かく破砕され、排出口１４からホースＨを通って排出される。このように、クラゲＫは破砕されて漁網Ｎから排除される。
【００２６】
図６は本発明の漁網のクラゲ排除装置の他の実施の形態を示す一部を断面で示す正面図、図７は同上装置のクラッシャー側の部分を拡大して示す縦断面図、図８は同上装置のクラッシャーを示す説明図である。この実施の形態のクラゲ排除装置はスクリュー移送体２の下端部に取付けたクラッシャー４Ａの取付方法に特徴がある。
【００２７】
即ち、図６〜図８において、この実施の形態の漁網のクラゲ排除装置は、スクリュー移送体２の回転軸２１の下端に、軸２１と同一軸線上に固定して設けたスクリュー棒状部７を有し、このスクリュー棒状部７にクラッシャー４Ａを螺合して設けてある。
【００２８】
この実施の形態のスクリュー棒状部７は長尺の平板材を螺旋状に捻転して構成し、これにより棒状部７にスクリュー溝７１を形成してある。スクリュー棒状部７の下端には回転軸７２が前記軸２１と同一軸線上に固定して設けられ、回転軸７２は後述する手段で固定して設けた軸受７３で回転自在に支持させてある。前記棒状部７の上端及び下端にはセパレートカラー７４，７５が回転軸２１，７２に固定して設けてある。前記両カラー７４，７５はクラッシャー４の往復移動する範囲を規制するために設けたもので、他の構成に任意に変更可能である。
【００２９】
前記クラッシャー４Ａはスクリュー移送体２を正逆回転することにより、前記カラー７４，７５で規制された範囲内をスクリュー移送体２の軸線方向に往復移動させるようにスクリュー棒状部７に螺合して設けてある。この実施の形態のクラッシャー４Ａは前記棒状部７に回転自在に嵌合する嵌合筒体４３と、この筒体４３の外周面に固定して設けた複数本（図示では２本）の破砕爪４４と、先端を筒体４３内へ突出させて筒体４３に設けた複数本の係合棒４５とを有してなっている。図示では筒体４３の上端近く及び下端近くにそれぞれ２本（合計４本）の係合棒４５（この係合棒４５はボルトで構成）を相対して設けたものが開示されている。
【００３０】
前記クラッシャー４Ａは筒体４３をスクリュー棒状部７に嵌合して各係合棒４５の先端を棒状部７のスクリュー溝７１に係合させて螺合されている。これにより、スクリュー移送体２を正回転すると、クラッシャー４Ａには水（海水）により負荷が掛けられているので、スクリュー移送体２の軸線上を上方側へ移動し、カラー７４に当接した時点で移動を停止し、スクリュー移送体２と一体的に回転する。また、上記状態において、スクリュー移送体２を逆回転すると、クラッシャー４Ａはスクリュー移送体２の軸線上を下方側へカラー７５に当接する位置まで移動するようになっている。なお、この場合、クラッシャー４Ａをスクリュー移送体２に対して正逆回転させると、クラッシャー４Ａは上下方向へ移動するようになる。
【００３１】
スクリュー移送体２の回転軸２１の下端側を回転自在に支持させる軸受２４Ａは筒状型に形成され、取付杆２５Ａを介して円筒体１１内の吸込口１３の近くに固定して設け、回転軸２１の下端側を前記軸受２４Ａで回転自在に支持させてある。
【００３２】
この実施の形態の吸込誘導用のガイド体５Ａは平底型の円筒容器状に構成され、底板（天板）５１Ａの中央部にはケーシング１の円筒体１１の吸込口１３と対応する大きさの穴５２が開設されていると共に開口下端の周縁部に環状フランジ５３を突設してなり、穴５２を吸込口１３に合致させ、後述するように円筒体１１の下端に取付けてある。
【００３３】
ケーシング１の円筒体１１の下端には中央部に前記吸込口１３と対応する大きさの円穴８２を形成したリング板８１を設け、このリング板８１を円筒体１１の下端における環状フランジ１６の下面に当接すると共に、リング板８１の下面にガイド体５Ａの天板５１Ａを当接し、この状態で任意本数の取付補強杆８３の一端を前記フランジ１６，リング板８１及び天板５１Ａに共通して設けたネジ孔にそれぞれ挿入し、ナット８４，８５で締付けて前記三者１６，８１及び５１Ａを固定してある。また、円筒体１１の上端には前記フランジ１５に比べ大径に形成した環状フランジ１５Ａを設け、このフランジ１５Ａに前記補強杆８３の他端をナット８６（図６参照）で締付けて固定してある。
【００３４】
前記ガイド体５Ａの下端にはガイド体５Ａの下端開口部５４と対応する大きさの円穴８８を有するリング板８７をガイド体５Ａの前記フランジ５３の下面に当接して設け、このリング板８７と前記リング板８１との間に任意本数の取付用ネジ棒８９を架橋し、ネジ棒８９の両端をナット９０，９１で締付けて連結し、両リング板８７，８１を固定してある。これにより、ガイド体５Ａは両リング板８７，８１で挟持され、円筒体１１の下端に安定して確実に固定されている。なお、この場合において、ガイド体５Ａのフランジ５３を前記リング板８７にネジ等（図示せず）で固定してもよい。これにより、ガイド体５Ａの固定状態がさらに確実になる。
【００３５】
前記スクリュー棒状部７の下端側の回転軸７２を支持させた軸受７３は任意本数の固定用取付杆９２を介して前記リング板８７の下面側に任意の手段で固定してある。これにより、回転軸７２は安定かつ円滑に回転するようになっている。他の構成は図１の実施の形態と同様であるため、同一構成部分には同一符号を付して説明を省略する。
【００３６】
この実施の形態の漁網のクラゲ排除装置は前記のように構成し、図１の実施の形態と同様に使用するもので、次に作用等につき説明する。なお、図１の実施の形態と同様の作用については重複説明をさけるため省略する。モータ３を稼動（正回転）してガイド体５Ａを海面近くの海中に位置させると、クラッシャー４Ａには水による負荷が掛かっているので、クラッシャー４Ａはスクリュー移送体２の軸線上を上方側へ移動し、カラー７４に当接した時点で移動を停止し、スクリュー移送体２と一体回転するのでクラゲＫはクラッシャー４Ａの破砕爪４４で破砕され、円筒体１１内に吸引され、スクリュー羽根２２によりさらに細かく破砕されながらケーシング１内を移送され、排出口１４からホースＨを通って排出される。また、モータ３の回転方向を切換えてスクリュー移送体２を逆回転させると、クラッシャー４Ａは図７に仮想線で示すように、下方側へカラー７５に当接する位置まで移動する。したがって、クラゲＫの吸込排除作業中に、何んらかの原因によってクラゲＫがクラッシャー４Ａの部分や吸込口１３付近等に引っ掛かる等、吸込作業に支障をきたした際等に、スクリュー移送体２を逆回転させることにより、クラッシャー４Ａでクラゲを外側へ追い出して取り除くことができる。そして、スクリュー移送体を正回転することにより、再び破砕作業を行なうことができる。
【００３７】
なお、この実施の形態ではクラッシャー４Ａをスクリュー移送体２の下端部に螺合させる構成として、長尺の平板材を螺旋状に捻転して形成したスクリュー棒状部７に係合棒４５を備えた筒体４３を嵌合して係合棒４５の先端をスクリュー溝７１に係合させる方式のものを図示したが、前記スクリュー棒状部７に代えてネジ棒を、また、前記係合棒４５付きの筒体４３に代えてネジ筒体とする等、図示以外の構成に変更可能なもので、要はスクリュー移送体を正逆回転させることにより、クラッシャーに負荷が掛かっている状態でクラッシャーがスクリュー移送体の軸線方向に往復移動するように構成すればよいものである。
【００３８】
【発明の効果】
本発明によれば漁網内に捕獲された魚と一緒に入っているクラゲを死滅させて効率良く排除することができる。
【図面の簡単な説明】
【図１】本発明の漁網のクラゲ排除装置の１実施の形態を示す縦断面図。
【図２】図１のＡ−Ａ線拡大断面図。
【図３】同上装置の拡大底面図。
【図４】同上装置の作用を説明するために示す説明図。
【図５】同上装置の使用状態を示す説明図。
【図６】本発明の漁網のクラゲ排除装置の他の実施の形態を示す一部を断面で示す正面図。
【図７】同上装置のクラッシャー側の部分を拡大して示す縦断面図。
【図８】同上装置のクラッシャーを示す説明図。
【符号の説明】
１…ケーシング
２…スクリュー移送体
３…モータ
１１…円筒体
１３…吸込口
１４…排出口
Ｋ…クラゲ
【図１】
0004370547.tif 000002
【図２】
0004370547.tif 000003
【図３】
0004370547.tif 000004
【図４】
0004370547.tif 000005
【図５】
0004370547.tif 000006
【図６】
0004370547.tif 000007
【図７】
0004370547.tif 000008
【図８】
0004370547.tif 000009